(57)【要約】【課題】液体燃料の気化による熱板の温度分布をより均一にすることで、熱板全体の温度を下げ、省エネルギーな液体燃料燃焼装置を提供する。【解決手段】燃焼用空気は、抵抗体６に衝突した後、抵抗体６の後方に空気の渦を形成する。ノズル２の噴出穴２ａから熱板１に向かって噴出された液体燃料は、抵抗体６の後方に発生する渦により、いくつかの塊に分断されて熱板１に衝突するため、１つの衝突部の温度低下を少なくすることができ、熱板１の全体の温度コントロールを低く抑えることができる。【選択図】図１
2005172293.tif 000002
【特許請求の範囲】
【請求項１】
液体燃料を気化させるための熱板と、該熱板に対向し液体燃料を供給するノズルと、前記熱板に対向し前記ノズルと同軸に設けられた燃焼用空気を供給する気化用送風通路と、気化ガスと燃焼用空気との混合気を搬送する混合室と、該混合気を燃焼させる燃焼部とを備え、前記ノズルの後方近傍に、前記気化用送風経路を流れる燃焼用空気に対向するように抵抗体を設けた液体燃料燃焼装置。
【請求項２】
抵抗体を可動自在な構成とした請求項１に記載の液体燃料燃焼装置。
【発明の詳細な説明】
【技術分野】
【０００１】
本発明は、主に家庭用の給湯機に搭載される液体燃料燃焼装置に関するものである。
【背景技術】
【０００２】
従来、この種の液体燃料燃焼装置は、液体燃料を供給するノズルの先端に１個もしくは２個の穴を設け、この穴から液体燃料供給用のポンプで液体燃料を供給していた（例えば、特許文献１参照）。
【０００３】
図５は、従来の液体燃料燃焼装置を示すものである。図５に示すように、液体燃料を気化させるためにヒータを組み込んだ熱板３１と、液体燃料を供給するノズル３２と、ノズルに液体燃料を供給するポンプ３３と、ノズル３２と同軸に設けられた気化用送風通路３４と、気化した混合気を搬送する混合室３５と、混合気を燃焼させる燃焼部３６とから構成されていた。図６は、図５のＡ−Ａ断面を示すものであり、ノズル３２には先端に２個の噴出穴が設けられていた。
【特許文献１】特開平７−３２４７０７号公報
【発明の開示】
【発明が解決しようとする課題】
【０００４】
しかしながら、前記従来の構成では、ポンプ３３から供給される液体燃料は、ノズル
３２の２個の噴出穴から噴出するとともに、気化用送風経路３４を通る気化用燃焼空気と供に熱板３１に送られる。供給された液体燃料は、主に熱板３１の２箇所で気化することになるため、液体燃料が当る部分の熱板３１の温度は大きく低下する。良好な気化を維持するためには、液体燃料が当っている部分の温度を維持するために熱板３１全体の温度を高くしなければならず、消費電力が増大するという課題を有していた。
【０００５】
本発明は、前記従来の課題を解決するもので、液体燃料の気化による熱板の温度分布をより均一にすることで、熱板全体の温度を下げ、省エネルギーな液体燃料燃焼装置を提供することを目的とする。
【課題を解決するための手段】
【０００６】
前記従来の課題を解決するために、本発明の液体燃料燃焼装置は、液体燃料を気化させるための熱板と、熱板に対向し液体燃料を供給するノズルと、熱板に対向し前記ノズルと同軸に設けられた燃焼用空気を供給する気化用送風通路と、気化した液体燃料と燃焼用空気との混合気を搬送する混合室と、混合気を燃焼させる燃焼部とを備え、前記ノズルの後方近傍に、前記気化用送風通路を流れる燃焼用空気に対向するように抵抗体を設けた構成としてある。
【０００７】
これによって、気化用送風通路を通過する燃焼用空気は、抵抗体に衝突後、その後方に渦が発生する。ノズルより噴出された液体燃料は、その渦により分散され、熱板に到達するときには、いくつかの塊となっており、ノズルから噴出される液体燃料を分散させるために、ノズル部先端にいくつもの穴を設けるなどの複雑な加工を行なうことなく、熱板に
液体燃料をより分散して供給することができ、熱板の温度分布の均一がはかれ、熱板の温度を下げ、省エネルギーな液体燃料燃焼装置が提供できる。
【発明の効果】
【０００８】
本発明の液体燃料燃焼装置は、液体燃料の気化による熱板の温度分布をより均一にすることで、熱板全体の温度を下げ、省エネルギーな液体燃料燃焼装置を提供することができる。
【発明を実施するための最良の形態】
【０００９】
第１の発明は、液体燃料を気化させるための熱板と、熱板に対向し液体燃料を供給するノズルと、熱板に対向し前記ノズルと同軸に設けられた燃焼用空気を供給する気化用送風通路と、気化した液体燃料と燃焼用空気との混合気を搬送する混合室と、混合気を燃焼させる燃焼部とを備え、前記ノズルの後方近傍に、前記気化用送風経路を流れる燃焼用空気に対向するように設けられた抵抗体を有することにより、気化用送風通路を通過する燃焼用空気は、抵抗体に衝突後、その後方に渦が発生する。ノズルより噴出された液体燃料は、その渦により分散され、熱板に到達するときには、いくつかの塊となっており、ノズルから噴出される液体燃料を分散させるために、ノズル部先端にいくつもの穴を設けるなどの複雑な加工を行なうことなく、熱板に液体燃料をより分散して供給することができ、熱板の温度分布の均一がはかれ、熱板の温度を下げ、省エネルギーな液体燃料燃焼装置が提供できる。
【００１０】
第２の発明は、特に、第１の発明のノズルの後方近傍に設けた抵抗体を、気化用送風通路を流れる燃焼用空気に対し角度を可変できるようにしたことにより、液体燃料燃焼装置の燃焼量が可変できるものにおいて、ノズルから供給される液体燃料の量が少なくなった場合に、ノズルからの噴出の勢いが弱くなり、液体燃料が熱板に衝突する位置が低くなるが、抵抗体の角度を変え、燃焼用空気の方向を調整することで、液体燃料が常に、熱板の適正な位置に衝突するようにできるため、良好な燃焼性能を確保することができる。
【００１１】
以下、本発明の実施の形態について、図面を参照しながら説明する。なお、本実施例の形態によって本発明が限定されるものではない。
【００１２】
（実施例の形態１）
図１は、本発明の第１の実施例の形態における液体燃料燃焼装置の構成図である。
【００１３】
図１において、１は液体燃料を気化させるための熱板であり、２は熱板１に対向するように設けられたノズル、３はノズル２に液体燃料を供給するためのポンプ、４は熱板１に対向し、送風機５から送られてきた燃焼用空気を、ノズル２と同軸に流すための気化用送風通路、６はノズル２の後方近傍に設けられた抵抗体である。７は熱板で気化した液体燃料と燃焼用空気の混合気を搬送する混合室、８は混合気を燃焼させる燃焼部になっている。
【００１４】
図２は、図１のＡ−Ａ断面を示す。図３は、図２のＢ−Ｂ断面を示す。ノズル２の先端部には液体燃料を噴出するための噴出穴２ａが２個設けられている。
【００１５】
以上のように構成された液体燃料燃焼装置について、以下その動作、作用を説明する。
【００１６】
液体燃料は、ポンプ３からノズル２へ供給され、ノズル２の噴出穴２ａから、熱板１に向かって２方向に噴出する。送風機５から送られる燃焼用空気は、その一部が気化用送風通路４に入り、ノズル２と同軸方向に流れ、抵抗体６に衝突しながら熱板１に送られる。
【００１７】
熱板１で気化された液体燃料と燃焼用空気の混合気は混合室７に送られ、別経路で送られてきた燃焼用空気とともに、燃焼部８で燃焼する。
【００１８】
図３に示すように気化用送風通路４に送られた燃焼用空気は、抵抗体６に衝突した後、抵抗体６の後方に空気の渦を形成する。ノズル２の噴出穴２ａから熱板１に向かって噴出された液体燃料は、前記の空気の渦により、いくつかの塊に分断され、それらが燃焼用空気とともに熱板１に衝突するようになる。熱板１に衝突した液体燃料の塊は、熱板１の熱で気化される。熱板１では液体燃料の塊が気化されることにより、その衝突部の熱板の温度は低下し、その塊が大きければ大きいほどその衝突部の温度低下は大きくなる。衝突部の温度が下がりすぎると、気化性能が悪くなるため、熱板１の全体の温度を高くコントロールしておく必要がある。ノズル２の噴出穴２ａから噴出された液体燃料は、抵抗体６の後方に発生する渦により、いくつかの塊に分断されて熱板１に衝突するため、１つの衝突部の温度低下を少なくすることができ、熱板１の全体の温度コントロールを低く抑えることができる。
【００１９】
（実施の形態２）
図４は、本発明の第２の実施の形態の液体燃料燃焼装置の構成図である。
【００２０】
燃焼量が可変できる液体燃焼装置においては、燃焼量が少なくなった場合、ノズルから供給される液体燃料の量が少なくなり、ノズルからの噴出の勢いが弱くなり、液体燃料が熱板に衝突する位置が低くなってしまう。熱板１での液体燃料の衝突位置が下がれば下るほど、気化する位置が混合室７に近づくため、気化した液体燃料と燃焼空気が充分拡散できる距離が短くなり、燃焼部８で不均一な燃焼になってしまう。図４に示すように、抵抗体６を可動できるようにし、燃焼量が少なくなった場合に、抵抗体６を角度αだけ上向きに回転させ、抵抗体６を通過する燃焼用空気の向きを上向きにすることにより、ノズルからの噴出の勢いが弱くなった分を燃焼用空気で持ち上げてやることで、、液体燃料が常に熱板の適正な位置に衝突するようにできるため、良好な燃焼性能を確保することができる。
【産業上の利用可能性】
【００２１】
以上のように、本発明にかかる液体燃料燃焼装置は、省エネルギーで良好な燃焼性能を得ることができるので、暖房、給湯用などの燃焼装置にも適用できる。
【図面の簡単な説明】
【００２２】
【図１】本発明の実施の形態１における液体燃料燃焼装置の構成図
【図２】同液体燃料燃焼装置の部分断面図
【図３】同液体燃料燃焼装置における燃焼空気の流れを示す図
【図４】本発明の実施の形態２における液体燃料燃焼装置の部分断面図
【図５】従来の液体燃料燃焼装置の構成図
【図６】従来の液体燃料燃焼装置の部分断面図
【符号の説明】
【００２３】
１  熱板
２  ノズル
４  気化用送風通路
６  抵抗体
７  混合室
８  燃焼部
【図１】
2005172293.tif 000003
【図２】
2005172293.tif 000004
【図３】
2005172293.tif 000005
【図４】
2005172293.tif 000006
【図５】
2005172293.tif 000007
【図６】
2005172293.tif 000008